(57)【要約】【課題】表示部を大きくできると共に、高利得のＡＮＴを使用することができ、しかも、水平偏波ＡＮＴや水平／垂直の偏波ダイバシティを行うことのできる携帯電話機並びに情報処理装置を提供する。【解決手段】ダイバシティアンテナ１７ａ，１７ｂを有する携帯電話機２において、少なくとも複数の外部アンテナ８ａ，８ｂと表示部とを有する情報処理装置１に接続されたときに前記ダイバシティアンテナ１７ａ，１７ｂを前記複数の外部アンテナ８ａ，８ｂに切り換えるアンテナ切換え手段２３ａ，２３ｂを備える。【選択図】　図４
2004032443.tif 000002
【特許請求の範囲】
【請求項１】
ダイバシティアンテナを有する携帯電話機において、少なくとも前記外部アンテナと表示部とを有する情報処理装置に接続したときに前記ダイバシティアンテナを前記複数の外部アンテナに切り換えるアンテナ切換え手段を備えたことを特徴とする携帯電話機。
【請求項２】
前記アンテナ切換え手段は少なくとも２以上を備えたことを特徴とする請求項１記載の携帯電話機。
【請求項３】
前記携帯電話機はヒンジ部を介した折畳み構造であって、そのヒンジ部に前記情報処理装置に接続するための接続部材を設けたことを特徴とする請求項１乃至２記載の携帯電話機。
【請求項４】
情報を入力するための入力手段と、情報を表示するための回動可能な表示部と、演算を行うための中央演算処理手段とを備えた情報処理装置において、前記表示部の左右両端部に携帯電話機と接続するための前記複数の外部アンテナを設けたことを特徴とする情報処理装置。
【請求項５】
前記表示部の上縁部に前記携帯電話機とデータを送受信するための接続部材を設けたことを特徴とする請求項４記載の情報処理装置。
【請求項６】
前記外部アンテナを回動手段を介して開閉し得るよう構成した請求項４または５記載の情報処理装置。
【請求項７】
前記外部アンテナをテレスコピックに伸縮し得るよう構成した請求項６記載の情報処理装置。
【請求項８】
前記外部アンテナを回動手段を介して水平にし得るよう構成した請求項６記載の情報処理装置。
【発明の詳細な説明】
【０００１】
【発明の属する技術分野】
本発明は携帯電話機並びに情報処理装置に関するものである。
【０００２】
【従来の技術】
近年、携帯電話やＰＨＳ等の移動体通信システムを利用した移動体電話機の普及がめざましく、メール端末やＰＤＡ等の携帯型情報端末を用いたデータ通信が盛んとなっている。このような携帯型情報端末を用いたデータ通信を行うようにした例としては、例えば、特開２００１ー２１８２６１号公報に示すような携帯型無線情報端末があり、図５に示されている。
【０００３】
図５の携帯型無線情報端末は、移動体通信機能を有しており、情報処理装置ａと携帯電話機ｂとが相互に着脱分離可能となるよう構成されている。
【０００４】
情報処理装置ａは、データを入力するためのキーボードｃと、回動部ｄを中心に所定の角度範囲内で手動により回動可能な開閉式の蓋ｅと、データを表示するために蓋ｅの前面に配置された表示部ｆと、蓋ｅの右側上部に配置されたスペースダイバシティ用伸縮式アンテナｇを備えている。
【０００５】
携帯電話機ｂは電話番号やショートメッセージサービス等のデータを表示するための携帯電話機用表示部ｈと、電話番号等のデータを入力するためのキーボタンｉと、携帯電話機用伸縮式アンテナｊとを備えている。而して、携帯電話機ｂは、蓋ｅの側面に設けた図示してない外部インターフェースコネクタを介して情報処理装置ａに装着し得るようになっている。
【０００６】
上述の図５に示す携帯型無線情報端末は、情報処理装置ａの表示部ｆの側面に携帯電話機ｂを装着するようにしているため、情報処理装置ａの本体側よりも表示部ｆを小さくしなければならない。又、図５の携帯型無線情報端末は、情報処理装置ａのスペースダイバシティ用伸縮式アンテナｇと、携帯電話機ｂの携帯電話機用伸縮式アンテナｊとによりアンテナダイバシティを行っているため、ＡＮＴの利得が低下し、更に、スペースダイバシティ用伸縮式アンテナｇ及び携帯電話機用伸縮式アンテナｊは縦向きであるため水平偏波ＡＮＴや水平／垂直の偏波ダイバシティを行うことができない。
【０００７】
【発明が解決しようとする課題】
本発明は、上述の実情に鑑み、表示部を大きくできると共に、高利得のＡＮＴを使用することができ、しかも、水平偏波ＡＮＴや水平／垂直の偏波ダイバシティを行うことのできる携帯電話機並びに情報処理装置を提供することを目的としてなしたものである。
【０００８】
【課題を解決するための手段】
請求項１の携帯電話機は、ダイバシティアンテナを有する携帯電話機において、少なくとも複数の外部アンテナと表示部とを有する情報処理装置に接続したときに前記ダイバシティアンテナを前記複数の外部アンテナに切り換えるアンテナ切換え手段を備えたものである。
【０００９】
請求項２の携帯電話機においては、前記アンテナ切換え手段は少なくとも２以上を備えたものである。
【００１０】
請求項３の携帯電話機においては、携帯電話機はヒンジ部を介した折畳み構造であって、そのヒンジ部に前記情報処理装置に接続するためのコネクタを設けたものである。
【００１１】
請求項４の情報処理装置は、情報を入力するための入力手段と、情報を表示するための回動可能な表示部と、演算を行うための中央演算処理手段とを備えた情報処理装置において、前記表示部の左右両端部に携帯電話機と接続するための前記複数の外部アンテナを設けたものである。
【００１２】
請求項５の情報処理装置は、前記表示部の上縁部に前記携帯電話機とデータを送受信するための接続部材を設けたことを特徴とする請求項４記載の情報処理装置。
【００１３】
請求項６の情報処理装置は、前記外部アンテナを回動手段を介して開閉し得るよう構成したものである。
【００１４】
請求項７の情報処理装置は、前記外部アンテナをテレスコピックに伸縮し得るよう構成した。
【００１５】
請求項８の情報処理装置は、前記外部アンテナを回動手段を介して水平にし得るよう構成したものである。
【００１６】
本発明の携帯電話機並びに情報処理装置によれば、情報処理装置の表示部を大きくできると共に、高利得のＡＮＴを使用することができ、しかも、水平偏波ＡＮＴや水平／垂直の偏波ダイバシティを行うことができる。
【００１７】
【発明の実施の形態】
以下、本発明の実施の形態を図示例と共に説明する。
図１〜図４は本発明の携帯電話機並びに情報処理装置を実施する形態の一例である。而して、図１、図３、図４においては、パソコン等の情報処理装置１と携帯電話機２とが相互に着脱分離可能となるよう構成されている。
【００１８】
情報処理装置１は、データを入力するためのキーボード３が配置された本体部４と、回動部５を中心に所定の角度範囲内で手動により回動可能な開閉式の蓋６と、データを表示するために蓋６の前面に配置された表示部７と、蓋６の左右両側上端に矢印方向へ回動自在に配置された外部アンテナ８ａ，８ｂと、蓋６の上縁部に設けられた２個の接続用コネクタ９ａ，９ｂと、蓋６の上縁部に位置するよう２個の接続用コネクタ９ａ，９ｂ間に配置されたデータ通信用コネクタ１０及びＳＷ切換え用コネクタ１０’を備えている。
【００１９】
接続用コネクタ９ａ，９ｂは外部アンテナ８ａ，８ｂに接続されており、データ通信用コネクタ１０は携帯電話機２の後述のＩ／Ｆ回路に、又、切換え用コネクタ１０’は携帯電話機２の後述のＳＷ回路に、夫々接続されている。更に、外部アンテナ８ａ，８ｂは図１の二点鎖線に示すように水平位置まで回動手段２４ａ，２４ｂを介し回動し得るようにしても良いし、図３に示すようにテレスコピック状に伸縮式としても良い。
【００２０】
携帯電話機２はヒンジ部２５ａ，２５ｂを介して回動し得るようにした折り畳み式で、電話番号等のデータを入力するためのキーボタン１１が設けられた筐体１２と、電話番号やショートメッセージサービス等のデータを表示するための携帯電話機用の表示部１３が設けられた筐体１４と、筐体１２，１４の折り畳み部に設けられた外部アンテナダイバシティ用のアンテナ接続用コネクタ１５ａ，１５ｂ及びデータ通信用コネクタ１６、ＳＷ切換え用コネクタ１６’を備えている。
【００２１】
携帯電話機２の回路は図４に示され、図中、１７ａ，１７ｂは携帯電話機用ダイバシティアンテナ、１８は受信専用の回路であるダイバシティ用受信回路、１９は送信用、受信用回路が入った送受信回路、２０はＳＷ回路、２１はＩ／Ｆ回路、２２はベースバンド及びＣＰＵ、２３ａ，２３ｂはアンテナ切換え手段である。
【００２２】
次に、上記図示例の作動を説明する。
例えば、携帯電話機２で作成されたデータの送信を情報処理装置１により行い、或は情報処理装置１に受信されたデータを携帯電話機２に転送する場合は、携帯電話機２のデータ通信用コネクタ１６、ＳＷ切換え用コネクタ１６’を情報処理装置１のデータ通信用コネクタ１０、ＳＷ切換え用コネクタ１０’に接続する。そうすると、携帯電話機２は情報処理装置１に接続され、外部アンテナダイバシティ用のアンテナ接続用コネクタ１５ａ，１５ｂは情報処理装置１の接続用コネクタ９ａ，９ｂに接続される。
【００２３】
このため、情報処理装置１から切換え用コネクタ１０’、ＳＷ切換え用コネクタ１６’を経てＳＷ回路２０に切換え指令が与えられ、ＳＷ回路２０からの切換え指令によりアンテナ切換え手段２３ａ，２３ｂは、図４に示すように情報処理装置１側の外部アンテナ８ａ，８ｂ側に切換えられる。
【００２４】
而して、例えば携帯電話機２側で作成されたデータは、ベースバンド及びＣＰＵ２２から送受信回路１９、アンテナ切換え手段２３ｂ、アンテナ接続用コネクタ１５ｂ、接続コネクタ９ｂから外部アンテナ８ｂに送信され、外部アンテナ８ｂから転送される。
【００２５】
情報処理装置１で作成されたデータの場合は、データ通信用コネクタ１０、データ通信用コネクタ１６からＩ／Ｆ回路２１を経てベースバンド及びＣＰＵ２２へ転送され、ベースバンド及びＣＰＵ２２以降は上述の場合と同様に、送受信回路１９からアンテナ切換え手段２３ｂを経て外部アンテナ８ｂへ送信され、外部アンテナ８ｂから転送される。
【００２６】
データの受信の場合には、外部アンテナ８ａ，８ｂの両方が使用される。すなわち、外部アンテナ８ａに受信されたデータは接続用コネクタ９ａ、アンテナ接続用コネクタ１５ａ、アンテナ切換え手段２３ａ、ダイバシティ用受信回路１８を経て携帯電話機２のベースバンド及びＣＰＵ２２へ転送され、外部アンテナ８ｂに受信されたデータは接続コネクタ９ｂ、切換え手段２３ｂ、送受信回路１９を経て携帯電話機２のベースバンド及びＣＰＵ２２へ送信される。又、携帯電話機２のベースバンド及びＣＰＵ２２に転送されたデータを情報処理装置１へ転送する場合には、データはＩ／Ｆ回路２１、データ通信用コネクタ１６、データ通信用コネクタ１０を経て情報処理装置１のメモリ手段へ転送される。
【００２７】
データの受信の際には、外部アンテナ８ａ，８ｂの両方を用いているため、ダイバシティ用受信回路１８では、送受信回路１９の受信部と合わせてダイバシティ効果が得られる。又、ベースバンド及びＣＰＵ２２では、高周波信号を検波した後の信号をアナログ・デジタル変換した後、音声信号に変えたり、情報処理装置１で使用できるような形のデータ信号に変えたりすることができる。
【００２８】
本発明の図示例によれば、情報処理装置１の表示部７を大きくできると共に、２本の外部アンテナ８ａ，８ｂを用いているため、高利得のＡＮＴを使用することができ、しかも、図１の二点鎖線に示すように、外部アンテナ８ａ，８ｂの両方或は何れかを水平にすれば、水平偏波ＡＮＴや水平／垂直の偏波ダイバシティを行うことができる。
【００２９】
なお、本発明の携帯電話機並びに情報処理装置においては、情報処理装置としてパソコンを用いる場合について説明したが、ＰＤＡ（Ｐｅｒｓｏｎａｌ　Ｄｉｇｉｔａｌ　Ａｓｓｉｓｔａｎｔ）を用いることもできること、その他、本発明の要旨を逸脱しない範囲内において種々変更を加え得ることは勿論である。
【００３０】
【発明の効果】
以上、説明したように本発明の請求項１〜８に記載の携帯電話機並びに情報処理装置によれば、情報処理装置の表示部を大きくできると共に、高利得のＡＮＴを使用することができ、しかも、水平偏波ＡＮＴや水平／垂直の偏波ダイバシティを行うことができるという優れた効果を奏し得る。
【図面の簡単な説明】
【図１】本発明の携帯電話機並びに情報処理装置の斜視図である。
【図２】本発明の携帯電話機並びに情報処理装置に使用する携帯電話機の一例を示す正面図である。
【図３】本発明の携帯電話機並びに情報処理装置に使用する情報処理装置の他の例の斜視図である。
【図４】本発明の携帯電話機並びに情報処理装置に使用する回路図である。
【図５】携帯電話機並びに情報処理装置から成る従来の携帯型無線情報端末の一例の斜視図である。
【符号の説明】
１　　情報処理装置
２　　携帯電話機
７　表示部
１０　　データ通信用コネクタ（コネクタ）
１５ａ，１５ｂ　　　　　　　　アンテナ接続用コネクタ（コネクタ）
１７ａ，１７ｂ　　　　ダイバシティアンテナ
２３ａ，２３ｂ　　　　　　　　アンテナ切換え手段
【図１】
2004032443.tif 000003
【図２】
2004032443.tif 000004
【図３】
2004032443.tif 000005
【図４】
2004032443.tif 000006
【図５】
2004032443.tif 000007